(57)【要約】
【課題】　コストの比較的低い普及型のゴルフ練習装置を提供する
【解決手段】　ゴルフ練習装置は、基部１０を備える。少なくとも３つの昇降機構が、基部１０に非直線状に配置され、それぞれがひとつの昇降部を有し、外部からの駆動力を受け上下に位置を移動する。ひとつのグリーン板６０により、昇降機構の昇降部上に繋げられ、昇降部の上下位置調整により、その傾斜方向と傾斜角度を変化させることが可能である。その板面の中間にはひとつのホール６１を有し、ゴルフボールを通過させる。基部１０外側には突出した端壁およびひとつの開口端が設けられ、基部１０にはホールにあたる位置にひとつのくぼみ１４が設けられている。基部のグリーン板外側の辺にはボールガイド溝１３が設けられ、くぼみ１４がガイド溝によりボールガイド溝１３に繋がっている。
【選択図】　　図１
0003099997.tif 000002
【実用新案登録請求の範囲】
【請求項１】
　ゴルフ練習装置であって、ひとつの基部と昇降機構とグリーン板を有し、
　少なくとも３つの昇降機構を備え、昇降装置は基部に非直線状に配置され、それぞれがひとつの昇降部を有し、外部からの駆動力を受け上下に位置を移動し、
　グリーン板は、昇降機構の昇降部上に繋げられ、昇降部の上下位置調整により、その傾斜方向と傾斜角度を変化させることが可能であり、板面の中間にはひとつのホールが設けられ、ゴルフボールを通過させ、
　基部外側には突出した端壁およびひとつの開口端が設けられ、基部にはホールにあたる位置にひとつのくぼみが設けられ、基部のグリーン板外側の辺にはボールガイド溝が設けられ、くぼみがガイド溝によりボールガイド溝に繋がっていることを特徴とするゴルフ練習装置。
【請求項２】
　ひとつの手動の昇降機構とふたつの自動の昇降機構とを含むことを特徴とする請求項１記載のゴルフ練習装置。
【請求項３】
　ふたつの自動の昇降機構は基部の開口端近くに設けられていることを特徴とする請求項２記載のゴルフ練習装置。
【請求項４】
　手動の昇降機構はひとつのケースとひとつの昇降部を含み、ケースは、基部上に固定され、昇降部が、ケースに繋がっており、その位置を上下に調節可能としていることを特徴とする請求項２記載のゴルフ練習装置。
【請求項５】
　ケースと昇降部のいずれか一つは長い形の収容槽を備え、この収容槽内には多数のストッパー溝が設けられ、もう一つは一部が収容槽中に収まり、撓りのある弾性を持ったストッパーアームを有し、ストッパー溝とあわせてストッパーの位置を定めることを特徴とする請求項４記載のゴルフ練習装置。
【請求項６】
　ケースと昇降部のいずれか一つは少なくともひとつの位置決め部を有し、もうひとつはストッパー部を有し、位置決め部とあわせて上部、下部停止点を形成していることを特徴とする請求項４記載のゴルフ練習装置。
【請求項７】
　位置決め部は長い形の穴であり、かつストッパー部は凸柱であり、長い形の穴の中に収まっていることを特徴とする請求項６記載のゴルフ練習装置。
【請求項８】
　自動の昇降機構はひとつのケースおよびひとつのモーターを備え、ケースは昇降部であってケース頂部に設けられており、上下の軸方向に移動可能であり、モーターはギヤの組み合わせにより昇降部を動かすことを特徴とする請求項２記載のゴルフ練習装置。
【請求項９】
　ギヤの組合せは、回転軸を有し、ケース内に設けられ、昇降部と回転軸はねじが接していて、かつ昇降部はケースによりその場で回転ができないように構成されていることを特徴とする請求項８記載のゴルフ練習装置。
【請求項１０】
　ギヤの組み合わせとしては一組のウォームシャフトとウォームギヤを含んでいることを特徴とする請求項８記載のゴルフ練習装置。
【請求項１１】
　ケース内にはふたつの微動スイッチを有し、昇降部がその上部、下部停止点に到達したときそれぞれ微動スイッチに触れて信号を生み、モーターを停止させることを特徴とする請求項８記載のゴルフ練習装置。
【請求項１２】
　ケース内にはひとつのカウンターが設けられていて、直接或いは間接にモーターの回転数を計ることが可能であることを特徴とする請求項８記載のゴルフ練習装置。
【請求項１３】
　ひとつの制御機構を有し、自動昇降機構の動作を制御することが可能であることを特徴とする請求項２あるいは請求項８に記載のゴルフ練習装置。
【請求項１４】
　３つの手動昇降機構が設けられていることを特徴とする請求項１記載のゴルフ練習装置。
【請求項１５】
　基部のガイド溝の中にはひとつの接触スイッチが設けられていることを特徴とする請求項１３記載のゴルフ練習装置。
【考案の詳細な説明】
【技術分野】
【０００１】
　本考案は、ゴルフグリーンパター練習装置に関する。
【背景技術】
【０００２】
　日本特許申請番号第２００２-１８１６号「ゴルフパター練習器」特許前案の示すものは、ひとつの基部上に３組の電動昇降機構が備え付けられたものである。３点でひとつの平面を決定するという方式を利用し、グリーン板の傾斜方向と傾斜角度を制御し、かつひとつの制御機構を利用する。これが生み出すプログラムされた自動変化により、ゴルフのグリーン練習を使用者のホールインした球数が増加するに伴い自動的にその難度も増し、以って練習のチャレンジ性と楽しみを向上させるものである。もちろん使用者の必要に応じ特に特定の傾斜方向と角度のグリーンを調節して生み出すことができ、特別な練習が可能である。
【考案の開示】
【考案が解決しようとする課題】
【０００３】
　しかしながら上述の特許構造は既に完全であるが、そのコストは比較的高く、わずかに小さなマーケットに適合するのみであり、一般のゴルファーが恩恵にあずかるのは難しい。
【０００４】
　したがって本考案の目的は、コストの比較的低い普及型のゴルフ練習装置を提供することにある。
【課題を解決するための手段】
【０００５】
　上述の目的を達成するために本考案の請求項に記載のゴルフ練習装置は、ひとつの基部を備える。少なくとも３つの昇降機構が、基部に非直線状に配置され、それぞれがひとつの昇降部を有し、外部からの駆動力を受け上下に位置を移動する。ひとつのグリーン板により、昇降機構の昇降部上に繋げられ、昇降部の上下位置調整により、その傾斜方向と傾斜角度を変化させることが可能である。その板面の中間にはひとつのホールを有し、ゴルフボールを通過させる。基部外側には突出した端壁およびひとつの開口端が設けられ、基部にはホールにあたる位置にひとつのくぼみが設けられている。基部のグリーン板外側の辺にはボールガイド溝が設けられ、くぼみがガイド溝によりボールガイド溝に繋がっている。
【考案を実施するための最良の形態】
【０００６】
　以下、本考案の実施例を図面に基づいて説明する。
　図１から図４に示すように、本考案の第１の実施例のゴルフ練習装置は以下のものを含む。
　基部１０は、矩形を呈し、ひとつのコ形の端壁１１及びひとつの開口端１２を有し、開口端１２から片側の側壁１１に沿いひとつのＬ形のボールガイド溝１３があり、基部中間にはひとつの円形のくぼみ１４が設けられ、このくぼみ１４はガイド溝１５で以ってボールガイド溝１３と繋がっています。
【０００７】
　３つの昇降機構は、三角形を呈した配置方式により基部１０中間に設けられ、本実施例ではひとつの手動昇降機構２０とふたつの自動昇降機構３０を使用しており、それぞれひとつの昇降部２５３２を有し、外部からの駆動力を受け上下に位置を移動し、その詳細構造及び駆動方式は後ほど説明する。
【０００８】
　ひとつのグリーン板５０は、３つの昇降機構の昇降部２５３２上に繋がっており、その３つの昇降部の上下位置の調整によりその傾斜方向と傾斜角度を変えることが可能で、その板面中間には基部のくぼみ１４にあたる位置にひとつのホール５１が設けられ、ゴルフボールを通過させる。
【０００９】
　ひとつの長い帯状の芝のボールウェイ６０は、グリーン板５０上に敷かれており、ホール５１にあたる位置には穴６１を有する。
【００１０】
　ひとつの制御機構７０はひとつの完成された電子回路であり、基部１０内に設けられ、自動昇降機構３０の昇降を制御するのに用いる。
【００１１】
　ひとつの接触スイッチ８０は、ガイド溝１５中に設けられ、ゴルフボールがホールイン後このスイッチ８０を転がり押し、以って制御機構に信号を送り、ホールイン数を数える。
【００１２】
　図４は本考案の第１実施例による練習装置が水平状態の最高点位置にあるものを示す。
　図５は本考案の第１実施例による練習装置が水平状態の最低点位置にあるものを示す。
【００１３】
　図６図に示すように、手動昇降機構２０が最高点位置にあり、自動昇降機構３０が最低点位置にあると、グリーン板５０が前方の開口端１２方向に向かって下に傾斜していて、使用者は遠い端からボールを芝のボールウェイ６０に沿いホール５１方向に打ち、アップヒルパッティングを練習可能である。
【００１４】
　図７に示すように、手動昇降機構２０が最低点位置にあり、自動昇降機構３０が最高点位置にあるものは、グリーン板５０が後ろに向かって下に傾斜していて、ダウンヒルパッティングを練習可能である。
【００１５】
　図８は、自動昇降機構３０がそれぞれ最低点位置にあるもので、グリーン板が水平状態を呈している状態を示す。
　図９は、図中左側の自動昇降機構３０が最低点位置にあり、右側の自動昇降機構３０が最高点位置にあり、グリーン板５０が左に傾いた状態示す。
【００１６】
　図１０は、左側の自動昇降機構３０が最高点位置にあり、右側の自動昇降機構３０が最低点位置にあり、グリーン板５０が右に傾いた状態を示す。
　ふたつの自動昇降機構３０を利用することでグリーン板５０の左或いは右傾斜方向及び傾斜角度を制御することが可能となり、さらに手動昇降機構２０の高低位置調整を組み合わせることで、アップヒル或いはダウンヒル等異なった傾斜に変化させ、このようにすることで幾千幾万ものグリーン形態を組み合わせて作り出して、練習が可能となる。
【００１７】
　図１１から図１５に示すように、本考案の第１実施例による手動昇降機構２０であり、その構造には以下のものを含む。ひとつのケース２１は、長い形を呈し、一端はビス２２でもって基部１０に固定されている。頂端から下に向かいひとつの長い形の収容槽２３が設けられ、収容槽２３下半分の内側壁面には多数のリング状のストッパー溝２４を有する。ひとつの昇降部２５は、長い形を呈していて、一部は収容槽２３中に入り込んでおり、ふたつの撓りのある弾性を持ったストッパーアーム２６を有し、これとストッパー溝２４により位置が定まり、その上下位置を調整可能である。ケース２１の上半分にはふたつの位置決め部２７が設けられ、これはふたつの長い形の穴である。昇降部２５にはふたつのストッパー部２８が設けられ、これはふたつの凸柱であり、長い形の穴２７の中に収まり、位置決め部２７と組み合わされ上下の二つの固定点を形成する。ひとつの固定パーツ２９で、グリーン板５０にあらかじめ設けられた穴５２に通され昇降部２５頂端を固定する。
【００１８】
　図１１、図１２に示すのが、昇降部２５位置が最も上にあるものである。
　図１３、図１４に示すのが、昇降部２５位置が最も下にあるものである。
【００１９】
　図１６から図２０図に示すように、本考案の第１実施例による自動昇降機構３０は、ひとつのケース３１を含む。ひとつの昇降部３２は、長い筒形を呈し、ケース頂面に設けられ、上下の軸方向に移動することが可能で、その外壁にはひとつの出っ張り３３が設けられ、昇降部３２をケース３１頂壁に押さえつけ上下にのみ位置を変え回転しないように構成され、その内壁にはねじ山３４を有する。ひとつの回転軸３５により、ケース３１中に設置されてその場で回転し、その外壁にはねじ山３６を有し、昇降部３２の内部ねじ山３４とねじが接する。ひとつのモーター３７で、その軸上にはひとつのウォームシャフト３８が取り付けられ、ウォームギヤ３９を動かし、同軸の小さなギヤ４１を連動させ、ひとつの大きなギヤ４２を動かし、回転軸３２を回転させる。ひとつの球状の接続部４３で、ひとつのビス４４で昇降部３２の頂端に固定される。ひとつのジョイント部４５で、ビス４６でグリーン板５０底面に固定され、球状の接続部４３を挟み込んでいる。ひとつの金属ばね４７で、回転軸３５側辺に設けられ、回転軸３５底端にはひとつの凸部４８を有する。凸部４８がばね４７を押してひとつの金属接触点４９と接触導通することで電流信号を生み、カウンターが回転軸３５の回転数を数える、すなわち昇降部３２の昇降の高度をコントロール可能である。そのほか、図１６、図１９に示すように、ケース３１内にはひとつの下部停止点微動スイッチ５１が設けられ、昇降部３２底端にはひとつのアーム５２が設けられ、昇降部３２が下降し下部停止点に着たときアーム５２が微動スイッチ５１に接触し、信号を発生させモーター３７を即刻停止させる。図１６、図２０に示すように、昇降部３２底端にはひとつの受け部５３が設けられ、受け部５３上には上部停止点微動スイッチ５４を有する。昇降部が上昇し上部停止点に着たとき、上部停止点微動スイッチ５４はケース３１頂壁に接触して信号を発生し、モーター３７を即刻停止させ、上述のふたつの微動スイッチは安全スイッチであり、前述の昇降カウント機能を備えているため、このふたつの安全スイッチは設けなくてもよい。
【００２０】
　図２１、図２２に示すように、本考案の第２実施例によるゴルフ練習装置は、３つの昇降機構はそれぞれ手動昇降機構９０であり、使用者自身に手動でグリーン板の傾斜角度を調整させる。
【図面の簡単な説明】
【００２１】
【図１】本考案の第一実施例によるゴルフ練習装置を示す外観立体図である。
【図２】図１中の装置から芝のボールウェイを除いた後の状態を示す上から見た図である。
【図３】図２中の装置からグリーン板を除いた後の状態を示す上から見た図である。
【図４】図２中の４-４解剖線に沿って見た透観図であり、グリーン板が水平状態の最高位置にあるのを示している。
【図５】図２中の４-４解剖線に沿って見た透観図であり、グリーン板が水平状態の最低位置にあるのを示している。
【図６】図２中の４-４解剖線に沿って見た透観図であり、グリーン板がアップヒルパッティング練習形態にあるのを示している。
【図７】図２中の４-４解剖線に沿って見た透観図であり、グリーン板がダウンヒルパッティング練習形態にあるのを示している。
【図８】図２中の８-８解剖線に沿って見た透観図であり、ふたつの自動昇降機構がそれぞれ最低点の水平状態にあるのを示している。
【図９】図２中の８-８解剖線に沿って見た透観図であり、グリーン板が左に傾いた状態にあるのを示している。
【図１０】図２中の８-８解剖線に沿って見た透観図であり、グリーン板が右に傾いた状態にあるのを示している。
【図１１】本考案の第１実施例によるゴルフ練習装置の手動昇降機構を示す外観構造図で、最高点状態を示す。
【図１２】図１１中の１２-１２解剖線に沿って見た透観図である。
【図１３】図１１中の１２-１２解剖線に沿って見た透観図で、最低点状態を示す。
【図１４】図１３中の１４-１４解剖線に沿って見た透観図である。
【図１５】図１１中の１５-１５解剖線に沿って見た透観図である。
【図１６】本考案の第１実施例において自動昇降機構を上から見たときの構造を示した図である。
【図１７】本実施例による自動昇降機構を横から見たときの構造を示した図であり、最下点位置にあるのを示す。
【図１８】本実施例による自動昇降機構を横から見たときの構造を示した図であり、最高点位置にあるのを示す。
【図１９】本実施例による自動昇降機構が最下点にある際の別の角度の側面を示した図である。
【図２０】本実施例による自動昇降機構が最高点にある際の別の角度の側面を示した図である。
【図２１】本考案の第２実施例によるゴルフ練習装置を示す構造図である。
【図２２】本考案の第２実施例によるゴルフ練習装置を示す構造図である。
【符号の説明】
【００２２】
　１０　基部、１１　端壁、１２　開口端、１３　ボールガイド溝、１４　くぼみ、１５
　ガイド溝、２０　手動昇降機構、３０　自動昇降機構、５０　グリーン板、５１　ホール、６０　芝のボールウェイ、６１　穴、７０　制御機構、２５　昇降部、３２　昇降部、３３　出っ張り、３４　ねじ山、３５　回転軸、３６　ねじ山、３７　モーター、３８　ウォームシャフト、３９　ウォームギヤ、４２　大きなギヤ、４３　接続部、４４　ビス、４５　ジョイント部、４６　ビス、４７　金属ばね、４８　凸部、４９　金属接触点、５１　下部停止点微動スイッチ、５２　アーム、５３　受け部、５４　上部停止点微動スイッチ、８０　接触スイッチ、９０　手動昇降機構
【図１】
0003099997.tif 000003
【図２】
0003099997.tif 000004
【図３】
0003099997.tif 000005
【図４】
0003099997.tif 000006
【図５】
0003099997.tif 000007
【図６】
0003099997.tif 000008
【図７】
0003099997.tif 000009
【図８】
0003099997.tif 000010
【図９】
0003099997.tif 000011
【図１０】
0003099997.tif 000012
【図１１】
0003099997.tif 000013
【図１２】
0003099997.tif 000014
【図１３】
0003099997.tif 000015
【図１４】
0003099997.tif 000016
【図１５】
0003099997.tif 000017
【図１６】
0003099997.tif 000018
【図１７】
0003099997.tif 000019
【図１８】
0003099997.tif 000020
【図１９】
0003099997.tif 000021
【図２０】
0003099997.tif 000022
【図２１】
0003099997.tif 000023
【図２２】
0003099997.tif 000024